(57)【要約】【課題】  故人に対し追悼を尽くしたという満足感を与えることができるカロートの構造を提供する。【解決手段】  底面に水切りを施し上面が開いたコンクリート枠１を墓石下に埋設し、このコンクリート枠の上面開口の約半分を墓石２により、残りを蓋板で閉塞した箱体であって、その内部空間に棚板４を形成すると共に、この棚板４の上面に畳、板の間等を模したシート状の床装飾体５を設け、また、少なくとも棚板４の上方における内壁面に、土壁、板壁、障子、襖、窓、床の間、或いはこれらを組合わせたものを模したシート状の壁装飾体６を貼着し、棚板上の床装飾体５の上に骨壷８、８を載置する。【選択図】  図３
2006291533.tif 000002
【特許請求の範囲】
【請求項１】
底面に水切りを施し上面が開いたコンクリート枠を墓石下に埋設し、このコンクリート枠の上面開口の約半分を墓石により、残りを蓋板で閉塞した箱体であって、その内部空間に棚板を形成すると共に、この棚板の上面に畳、板の間等を模したシート状の床装飾体を設け、また、少なくとも棚板の上方における内壁面に、土壁、板壁、障子、襖、窓、床の間、或いはこれらを組合わせたものを模したシート状の壁装飾体を貼着し、棚板上の床装飾体の上に骨壷を載置するようにしたことを特徴とするカロートの構造。
【請求項２】
底面に水切りを施し上面が開いたコンクリート枠を墓石下に埋設し、このコンクリート枠の上面開口の約半分を墓石により、残りを蓋板で閉塞した箱体であって、その内部空間に棚板を形成すると共に、この棚板の上面に畳、板の間等を模したシート状の床装飾体を設け、また、少なくとも棚板の上方における内壁面に、土壁、板壁、障子、襖、窓、床の間、或いはこれらを組合わせたものを模したシート状の壁装飾体を貼着し、一方、蓋板の少なくとも一箇所に、上端が外部空間に、下端がカロート内空間に開口した透孔を設け、この透孔を、オプチカルファイバーの束により水密に閉塞し、棚板上の床装飾体の上に骨壷を載置するようにしたことを特徴とするカロートの構造。
【請求項３】
底面に水切りを施し上面が開いたコンクリート枠を墓石下に埋設し、このコンクリート枠の上面開口の約半分を墓石により、残りを蓋板で閉塞した箱体であって、その内部空間に棚板を形成すると共に、この棚板の上面に畳、板の間等を模したシート状の床装飾体を設け、また、少なくとも棚板の上方における内壁面に、土壁、板壁、障子、襖、窓、床の間、或いはこれらを組合わせたものを模したシート状の壁装飾体を貼着し、一方、蓋板の少なくとも一箇所に、上端が外部空間に、下端がカロート内空間に開口した透孔を設け、この透孔を、透明な材質の栓体により水密に閉塞し、棚板上の床装飾体の上に骨壷を載置するようにしたことを特徴とするカロートの構造。
【請求項４】
底面に水切りを施し上面が開いたコンクリート枠を墓石下に埋設し、このコンクリート枠の上面開口の約半分を墓石により、残りを蓋板で閉塞した箱体であって、その内部空間に棚板を形成すると共に、この棚板の上面に畳、板の間等を模したシート状の床装飾体を設け、また、少なくとも棚板の上方における内壁面に、土壁、板壁、障子、襖、窓、床の間、或いはこれらを組合わせたものを模したシート状の壁装飾体を貼着し、一方、墓石又は蓋板の表面にソーラー電池を装着し、このソーラー電池の出力を導線を介してカロート内に設けられた発光体に供給して、この発光体によりカロート内空間を照明するようにすると共に、棚板上の床装飾体の上に骨壷を載置するようにしたことを特徴とするカロートの構造。
【発明の詳細な説明】
【技術分野】
【０００１】
この発明は、墓地における墓石の下の納骨堂（以下カロートという）の構造に関する。
【背景技術】
【０００２】
カロートは、通常、墓石の下に底と天井が抜けたコンクリート製の枠を埋設し、この枠内に棚板を設け、この棚板上に骨壷を載置して収納すると共に、コンクリート枠の上面開口の半分を墓石により、残りをコンクリート製の蓋板で閉塞する構造である。
【０００３】
なお、かかるカロートの構造は従来から周知であるが、本出願人は、本発明と関連がある特許文献も非特許文献も発見することができなかった。
【発明の開示】
【発明が解決しようとする課題】
【０００４】
上記した従来のカロートは、骨壷を納める物置と考えられており、冬は冷たくてジメジメした暗黒空間であり、夏は暗くて蒸暑い空間であることは想像に難くない。
【０００５】
しかしながら、骨壷内の遺骨には意識も感覚も無い、という暗黙の了解のもと、カロート内に黴が生えようが水が入ろうがカロートとはそういうものである、ということにし、カロートと故人の遺骨との関係についてはそれ以上の追及が無かった。
【０００６】
一方、例えば親である故人に対し孝養を尽くさなかった、と後悔する遺族は少なくないし、故人となった配偶者に対して扱いが粗末であった、と反省する配偶者も数多く、これらの遺族は、巷間言うように「墓に布団は着せられない」ため、追慕の念に悶々とせざるを得ない、という不都合がある。
【０００７】
そこで、この発明は、上記した故人に対する遺族の追慕の念を具象化することができ、故人に対し追悼を尽くしたという満足感を与えることができるカロートの構造を提供することを目的としている。
【課題を解決するための手段】
【０００８】
上記の目的を達成するため、請求項１に記載の発明は、底面に水切りを施し上面が開いたコンクリート枠を墓石下に埋設し、このコンクリート枠の上面開口の約半分を墓石により、残りを蓋板で閉塞した箱体であって、その内部空間に棚板を形成すると共に、この棚板の上面に畳、板の間等を模したシート状の床装飾体を設け、また、少なくとも棚板の上方における内壁面に、土壁、板壁、障子、襖、窓、床の間、或いはこれらを組合わせたものを模したシート状の壁装飾体を貼着し、棚板上の床装飾体の上に骨壷を載置するようにしたことを特徴とする。
【０００９】
また、請求項２に記載の発明は、底面に水切りを施し上面が開いたコンクリート枠を墓石下に埋設し、このコンクリート枠の上面開口の約半分を墓石により、残りを蓋板で閉塞した箱体であって、その内部空間に棚板を形成すると共に、この棚板の上面に畳、板の間等を模したシート状の床装飾体を設け、また、少なくとも棚板の上方における内壁面に、土壁、板壁、障子、襖、窓、床の間、或いはこれらを組合わせたものを模したシート状の壁装飾体を貼着し、一方、蓋板の少なくとも一箇所に、上端が外部空間に、下端がカロート内空間に開口した透孔を設け、この透孔を、オプチカルファイバーの束により水密に閉塞し、棚板上の床装飾体の上に骨壷を載置するようにしたことを特徴とする。
【００１０】
更にまた、請求項３に記載の発明は、底面に水切りを施し上面が開いたコンクリート枠を墓石下に埋設し、このコンクリート枠の上面開口の約半分を墓石により、残りを蓋板で閉塞した箱体であって、その内部空間に棚板を形成すると共に、この棚板の上面に畳、板の間等を模したシート状の床装飾体を設け、また、少なくとも棚板の上方における内壁面に、土壁、板壁、障子、襖、窓、床の間、或いはこれらを組合わせたものを模したシート状の壁装飾体を貼着し、一方、蓋板の少なくとも一箇所に、上端が外部空間に、下端がカロート内空間に開口した透孔を設け、この透孔を、透明な材質の栓体により水密に閉塞し、棚板上の床装飾体の上に骨壷を載置するようにしたことを特徴とする。
【００１１】
請求項４に記載の発明は、底面に水切りを施し上面が開いたコンクリート枠を墓石下に埋設し、このコンクリート枠の上面開口の約半分を墓石により、残りを蓋板で閉塞した箱体であって、その内部空間に棚板を形成すると共に、この棚板の上面に畳、板の間等を模したシート状の床装飾体を設け、また、少なくとも棚板の上方における内壁面に、土壁、板壁、障子、襖、窓、床の間、或いはこれらを組合わせたものを模したシート状の壁装飾体を貼着し、一方、墓石又は蓋板の表面にソーラー電池を装着し、このソーラー電池の出力を導線を介してカロート内に設けられた発光体に供給して、この発光体によりカロート内空間を照明するようにすると共に、棚板上の床装飾体の上に骨壷を載置するようにしたことを特徴とする。
【発明の効果】
【００１２】
上記のように構成された請求項１〜４に記載の発明によるカロートは、底面に水切りを施すため内部空間内がジメジメすることを防止でき、かつ、骨壷を収納する少なくとも棚板より上方の空間を生前の故人の居室等を模して装飾できるため、遺骨が居心地が良いであろうと遺族に思わせてその追悼の心を満足させることができる。
【００１３】
また、請求項２〜４に記載の発明によれば、オプチカルファイバー或いは透明な栓体を通して昼間カロート内に光が差込み、或いは太陽光が発光ダイオード等の光に変換されてカロート内を照明するので、遺骨のカロート内における居心地が更に向上する。
【００１４】
更にまた、遺族だけではなく、もしかすると故人も喜ぶかも知れない、ということを誰も否定できない。
【００１５】
加えて、請求項２〜４に記載の発明によれば、昼間は太陽光の入射或いは発光ダイオード等の光による照明という態様で熱エネルギーがカロート内に注入されるので、水分の熱による蒸発が生じ、カロート内の乾燥状態が保たれる、等種々の効果を奏する。
【発明を実施するための最良の形態】
【００１６】
カロートの本体に水切りを施し、棚板の上部空間を居室を模して装飾したので、内部に納められる遺骨の居心地が良いであろうと少なくとも遺族に思わせることができ、遺族の追悼の念を満足させることができる。
【実施例１】
【００１７】
以下、この発明の実施例を図面を参照して説明する。
なお、説明の都合上、ここでは請求項２に記載の発明について先に説明する。請求項１に記載の発明は、図示の実施例からオプチカルファイバーによる導光部を省略したものだからである。
【００１８】
図１及び図２において符号１はカロート本体を示し、図示の実施例におけるカロート本体１は、この発明を実施するために最初から設計製造されたもので、水切りを施すための底面を一体に形成し、上面が開いた箱状体である。
【００１９】
なお、ここで水切りを施すとは、従来のカロートとは異なり、箱状体の底面開口を閉塞してここからカロート内部に水分が侵入することを防止する対策をいうものとし、既存のカロートに本発明を適用する場合には、先ず墓石２及び骨壷を他の場所に移動させておき、内部を清掃した後、カロートの底面に底板を水密に敷設する。
【００２０】
但し、カロートの底面から水が内部に侵入することを完全に防止すると、例えば墓石２や蓋板３とカロートの上部開口端縁との間に隙間があり、カロートの天井部から内部に雨水等が侵入した場合、この水を排水できないことになる。
【００２１】
そこで、本発明のようにカロートの底面に水切りを施した場合、底面の少なくとも１ヵ所に排水孔を設けることが望ましい。
【００２２】
カロートの底部に水切りを施したら、カロートの内部に例えばウレタン塗装等の表面処理を施す。
【００２３】
次いで、図３に示すように、棚板４（図１及び図２参照）上に畳、板の間等を模した床装飾体６を載置し、要すれば接着剤によって固定して棚板からずり落ちないようにする。
【００２４】
一方、少なくとも棚板４より上方における内壁面に、土壁、板壁、障子、襖、窓、床の間或いはこれらをくみあわせたもの模したシート状の壁装飾体６、６が貼着されている。
【００２５】
図３においては、正面の壁には床の間を模した壁装飾体６が貼着されており、その中央には仏画像７が飾られている。
【００２６】
そして、床装飾体５上に置かれた座布団７の上に骨壷８が載置されており、このようにして骨壷８、８は、むき出しのコンクリートの棚板４上に無造作に置かれるのではなく、あたかも生前慣れ親しんだ居室内で座布団を敷いて座っているように、カロート内に収納される。
【００２７】
なお、これはこの発明の必須の構成要素ではないが、棚板４の下の開口は目隠し板９によって閉塞され、この目隠し板９の前には履き物台１１が置かれている。
【００２８】
また、同様に、履き物台１１が置かれているカロートの内底面には玉砂利１２が敷かれ、或いは置き石１３が置かれている。
【００２９】
更にまた、床装飾体５上には故人が愛用していた眼鏡１４或いはその模型、万年筆、ライターなどを置いても良い。
【００３０】
加えて、図示の実施例では、例えば図２に示すように、棚板４の下方におけるカロート内底面には厚さ数ｃｍにわたって盛り土１０が形成されており、古くなった遺骨をこの盛り土１０上に散布することによって土に戻すことができるようになっている。
【００３１】
また、カロートの天井面、具体的には墓石の底面と蓋板の内面とを接合したものにも天井を模した装飾体を貼着することができる。
【００３２】
上記のようにカロート内を装飾した後、墓石２及び蓋板３によってカロートの上部開口を閉塞し、カロートの開口端縁と墓石２及び蓋板３との間にシーラントを介在させてコーキングを施し、この発明によるカロートの工事は終了する。
【００３３】
一方、カロート内の住人としての仏様が心眼を持っていて、光が無くても物が見える場合には、上記した構造のカロートで充分住み心地が良い筈であるが、光が無ければ仏様も見えない筈だ、と心配する遺族のためには請求項２に記載の発明が有効である。
【００３４】
すなわち、図４において符号３はカロートの開口を覆う前記蓋板を示し、この蓋板３の少なくとも１個所、例えば墓石に向って左右方向の中央部で、前後方向においては墓石に近い部分に、上端が外部空間に、下端がカロート内空間に開口する透孔１５を形成する。
【００３５】
そして、この透孔１５をオプチカルファイバー１６、１６の束により水密に閉塞し、ここからカロート内に雨水などが浸入しないようにする。
【００３６】
図示の実施例では、フランジ付の保持筒１７内にオプチカルファイバー１６、１６を充填し、その両端にガラス板１８、１８を水密に、すなわち水漏れしないように嵌着したものを蓋板３に埋設する。
【００３７】
上記保持筒１７の外径は例えば２〜３ｃｍ程度あれば充分な数のオプチカルファイバーを収納することができ、また、オプチカルファイバーの材質としてガラス製のものも、プラスチック製のものも採用することができる。
【００３８】
上記した構造のカロートは、各オプチカルファイバー１６の外端に入射した光は、全反射を繰り返しながら内方に進行し、内端からカロート内に放射されるので、カロート内は明るく照明される。
【００３９】
なお、このとき内側のガラス板、すなわち、図４で下方に示されるガラス板１８のカロート内に臨む内面に例えば擦りガラス加工などの光拡散処理を施せば、オプチカルファイバー１６の内端からカロート内に放射される光が拡散されるので、カロート内の照明範囲か拡大される。
【実施例２】
【００４０】
図５は請求項３に記載の一実施例によるカロート蓋板３の一部を示し、この蓋板３の少なくとも１個所に円筒と円錐台とを連接した透孔１５を設け、この透孔１５の円筒部に例えばガラス製の円板よりなる栓体１９を水密に嵌着して透孔１５を閉塞する。
【実施例３】
【００４１】
図６は請求項３に記載の他の実施例による透孔の栓体を示し、この栓体１９は厚板ガラスから切り出した直方体で、その厚みを上下方向に見せて、水平断面が細長い矩形の図示しない透孔に矢印ａ方向に挿入し、例えば透孔との間にコーキングを施してこの部分から水か入らないようにする。
【実施例４】
【００４２】
図７及び図８は請求項４に記載の発明の一実施例を示し、図において符号２１は通常ソーラー電池と称される光発電素子を示し、このソーラー電池２１は例えば墓石の基部の日当たりの良い側面、或いは蓋板の上面や側面等の日当たりの良い表面に例えば貼着等の手段により固定的に装着される。
【００４３】
このソーラー電池２１の出力は、カロート本体１の開口端縁を横断する断面形状がＶ字形やＵ字形の溝２５（図７参照）を通る導線２２（図８参照）を介して、カロート本体内に設置された制御装置２３に供給される。
【００４４】
この制御装置２３は、図示はしないが例えば図３の履物台１１の下方に設置され、壁装飾体６の裏側を通る導線２１を介して、例えばカロート内の任意の箇所に設置された発光ダイオード等の発光体２４に電力を供給する。
【００４５】
なお、ソーラー電池の出力の大小等に応じ、ソーラー電池の出力をリアルタイムに供給するようにしてもよいし、或いはソーラー電池の出力に余裕がある場合には、一部を蓄電して照明時間を長くしてもよい。
【００４６】
或いは、制御装置２３内にタイマーを組み込み、照明時間を任意に制御するようにしてもよい。
【図面の簡単な説明】
【００４７】
【図１】この発明の一実施例によるカロートの線図的平面図。
【図２】図１のＩＩ−ＩＩ線による断面図。
【図３】この発明の一実施例によるカロートを示す斜視図。
【図４】請求項２に記載の発明の一実施例を示す採光部の拡大断面図。
【図５】請求項３に記載の発明の一実施例を示す採光部の拡大断面図。
【図６】請求項３に記載の発明の他の実施例による栓体の拡大斜視図。
【図７】請求項４に記載の発明の一実施例を示す図１と同様の線図的平面図。
【図８】ソーラー電池を使用する照明装置のブロック図。
【符号の説明】
【００４８】
１  カロート本体
２  墓石
３  蓋板
４  棚板
５  床装飾体
６  壁装飾体
７  座布団
８  骨壷
９  目隠し板
１０  盛り土
１１  履き物台
１２  玉砂利
１３  置き石
１５  透孔
１６  オプチカルファイバー
１７  保持筒
１８  ガラス板
１９  栓体
２１  ソーラー電池
２２  導線
２３  制御装置
２４  発光体
２５  溝
【図１】
2006291533.tif 000003
【図２】
2006291533.tif 000004
【図３】
2006291533.tif 000005
【図４】
2006291533.tif 000006
【図５】
2006291533.tif 000007
【図６】
2006291533.tif 000008
【図７】
2006291533.tif 000009
【図８】
2006291533.tif 000010